(57)【要約】      （修正有）【課題】フレーク式テレスコカバー構造を提供する。【解決手段】作動軸が横方向のテレスコカバーセット２０に設けられる入口ガイド固定部２６０に固設され、作動軸が横方向或いは縦方向に移動する場合、縦方向の上部フレークカバー板体１４、縦方向の下部フレークカバー板体１５、横方向の左側フレークカバー板体２４、及び横方向の右側フレークカバー板体２５が縮合或いは展開状態を呈し、差圧原理により切屑液がカバー内部に漏れず、複数の装置を有効に遮蔽させて異物が複数の装置の部材中に進入するのを防止させる。伸縮アームのブラケットがフレークカバー板体を連動・同調して移動させ、縦方向の上部フレークカバー板体、縦方向の下部フレークカバー板体、横方向の左側フレークカバー板体、及び横方向の右側フレークカバー板体が受力してシステムの動作制動を平均的に安定的に低減させる。また、フレークカバー板体は極薄の構造であるため積載重量が低下し、使用上の利便性及び構造の安定性を達成させる。【選択図】図１
0003197353.tif 000002
【実用新案登録請求の範囲】
【請求項１】
複数の縦方向の側面フレーム、縦方向の上面側フレーム、縦方向の底側フレーム、複数の縦方向の上部フレークカバー板体、及び複数の縦方向の上部フレークカバー板体が設置され、縦方向の側面フレーム、縦方向の上面側フレーム、及び縦方向の底側フレームが周設して結合され、且つ縦方向の側面フレームの内側には縦方向の側面の内レールがそれぞれ設けられ、複数の縦方向の上部フレークカバー板体が相互に重置されて滑動して複数の縦方向の側面フレームの間の上方に係止され、前記重置される複数の縦方向の上部フレークカバー板体の一側には少なくとも１つの縦方向の上部伸縮アームのブラケットが設置され、且つ縦方向の上部伸縮アームのブラケットの各枢結箇所には縦方向の上部プーリーのブラケットがそれぞれ枢設され、縦方向の上部プーリーのブラケットの両側には滑輪セットが別設され、前記両側の滑輪セットは縦方向の側面フレームの内側に設置される縦方向の側面の内レールにそれぞれ位置を限定されて滑動して接触され、複数の縦方向の上部フレークカバー板体が相互に重置されて滑動して複数の縦方向の側面フレームの間の下方に係止され、前記重置される複数の縦方向の上部フレークカバー板体の一側には少なくとも１つの縦方向の下部伸縮アームのブラケットが設置され、且つ縦方向の下部伸縮アームのブラケットの各枢結箇所には縦方向の下部プーリーのブラケットがそれぞれ枢設され、縦方向の下部プーリーのブラケットの両側には滑輪セットが別設され、前記両側の滑輪セットは縦方向の側面フレームの内側に設置される縦方向の側面の内レールにそれぞれ位置を限定されて滑動して接触され、縦方向の上部フレークカバー板体、縦方向の上部フレークカバー板体、及び複数の縦方向の側面フレームの間には開口部が形成される縦方向のテレスコカバーセットと、
横方向の上面側フレーム、横方向の底側フレーム、複数の横方向の側面フレーム、複数の横方向の左側フレークカバー板体、及び複数の横方向の右側フレークカバー板体が設置され、横方向の上面側フレーム、横方向の底側フレーム、及び横方向の側面フレームが周設されて結合され、且つ横方向の上面側フレームの内側には横方向の上面側の内レールが設置され、他の横方向の底側フレームの内側には横方向の底側の内レールが設置され、複数の横方向の左側フレークカバー板体が相互に重置されて滑動して横方向の上面側フレームと横方向の底側フレームとの間の左側に係止され、前記重置される複数の横方向の左側フレークカバー板体の一側には少なくとも１つの横方向の左側の伸縮アームのブラケットが設置され、前記横方向の左側の伸縮アームのブラケットの各枢結箇所には横方向の左側プーリーのブラケットがそれぞれ枢設され、横方向の左側プーリーのブラケットの両側には滑輪セットが別設され、前記両側の滑輪セットは横方向の上面側フレームの横方向の上面側の内レール及び横方向の底側フレームの横方向の底側の内レールにそれぞれ位置を限定されて滑動して接触され、複数の横方向の右側フレークカバー板体が相互に重置されて滑動して横方向の上面側フレームと横方向の底側フレームとの間の右側に係止され、前記重置される複数の横方向の右側フレークカバー板体の一側には少なくとも１つの横方向の右側伸縮アームのブラケットが設置され、前記横方向の右側伸縮ア−ムのブラケットの各枢結箇所には横方向の右側プーリーのブラケットがそれぞれ枢設され、横方向の右側プーリーのブラケットの両側には滑輪セットが別設され、前記両側の滑輪セットは横方向の上面側フレームの横方向の上面側の内レール及び横方向の底側フレームの横方向の底側の内レールにそれぞれ位置を限定されて滑動して接触され、横方向の左側フレークカバー板体と横方向の右側フレークカバー板体との間には中央部カバー板体が設置されて連結され、前記中央部カバー板体には入口ガイド固定部が設けられ、それは縦方向のテレスコカバーセットに設けられる開口部に対応すると共に相互に固定されて結合される横方向のテレスコカバーセットを備えることを特徴とするフレーク式テレスコカバー構造。
【請求項２】
前記縦方向のテレスコカバーセットの縦方向の上部フレークカバー板体及び縦方向の上部フレークカバー板体には複数の結合孔がそれぞれ設けられ、横方向のテレスコカバーセットの横方向の左側フレークカバー板体及び複数の横方向の右側フレークカバー板体には複数の結合座がそれぞれ設けられ、前記結合座には結合部材がそれぞれ設置され、横方向のテレスコカバーセットは縦方向のテレスコカバーセットに設けられる開口部に対応し、複数の結合座は縦方向のテレスコカバーセットの縦方向の上部フレークカバー板体及び縦方向の上部フレークカバー板体に設けられる複数の結合孔に対応し、且つ結合孔に設置される結合部材により固定されて結合されることを特徴とする、請求項１記載のフレーク式テレスコカバー構造。
【請求項３】
前記中央部カバー板体の入口ガイド固定部には密封ワッシャーが設置されることを特徴とする、請求項１記載のフレーク式テレスコカバー構造。
【請求項４】
前記縦方向の上部伸縮ア−ムのブラケット、縦方向の下部伸縮ア−ムのブラケット、横方向の左側の伸縮アームのブラケット、及び横方向の右側の伸縮アームのブラケットは複数の連接棒構造であることを特徴とする、請求項１記載のフレーク式テレスコカバー構造。
【考案の詳細な説明】
【技術分野】
【０００１】
本考案は、フレーク式テレスコカバー構造に関し、より詳しくは、機構安全防護装置に応用される技術分野に関する。
【背景技術】
【０００２】
現在従来の伸縮カバー構造は、じゃばら式の構造が採用され、じゃばら式のカバーにより複数の装置は加工時に防護されて、切削液或いは切屑が本機の部材中に進入するのを防止し、機構の正常な動作を保障する。
【考案の概要】
【考案が解決しようとする課題】
【０００３】
しかしながら、前述した従来の技術では、すなわち、じゃばら式のカバーが長時間伸縮されると損壊しやすくなるため、耐用年数が短い。また、加工中の化学液体が皮革を硬化させる上、じゃばら式のカバーの設置には大きな空間が必要であり、且つ収納スペースもとるため、不便であった。
【０００４】
そこで、本考案者は上記の欠点が改善可能と考え、鋭意検討を重ねた結果、合理的かつ効果的に課題を改善する本考案の提案に到った。
【０００５】
本考案は、以上の実情に鑑みなされたものであって、上記課題解決のため、本考案は、フレーク式テレスコカバー構造を提供することを主目的とする。
【課題を解決するための手段】
【０００６】
上述した課題を解決し、上記目的を達成するための本考案は、フレーク式テレスコカバー構造であって、
複数の縦方向の側面フレーム、縦方向の上面側フレーム、縦方向の底側フレーム、複数の縦方向の上部フレークカバー板体、及び複数の縦方向の上部フレークカバー板体が設置され、縦方向の側面フレーム、縦方向の上面側フレーム、及び縦方向の底側フレームが周設して結合され、且つ縦方向の側面フレームの内側には縦方向の側面の内レールがそれぞれ設けられ、複数の縦方向の上部フレークカバー板体が相互に重置されて滑動して複数の縦方向の側面フレーム間の上方に係止され、前記重置される複数の縦方向の上部フレークカバー板体の一側には少なくとも１つの縦方向の上部伸縮アームのブラケットが設置され、且つ縦方向の上部伸縮アームのブラケットの各枢結箇所には縦方向の上部プーリーのブラケットがそれぞれ枢設され、縦方向の上部プーリーのブラケットの両側には滑輪セットがそれぞれ設けられ、前記両側の滑輪セットは縦方向の側面フレームの内側に設置される縦方向の側面の内レールにそれぞれ位置を限定されて滑動して接触され、複数の縦方向の上部フレークカバー板体が相互に重置されて滑動して複数の縦方向の側面フレームの間の下方に係止され、前記重置される複数の縦方向の上部フレークカバー板体の一側には少なくとも１つの縦方向の下部伸縮アームのブラケットが設置され、且つ縦方向の下部伸縮アームのブラケットの各枢結箇所には縦方向の下部プーリーのブラケットがそれぞれ枢設され、縦方向の下部プーリーのブラケットの両側には滑輪セットがそれぞれ設けられ、前記両側の滑輪セットは縦方向の側面フレームの内側に設置される縦方向の側面の内レールにそれぞれ位置を限定されて滑動して接触され、縦方向の上部フレークカバー板体、縦方向の上部フレークカバー板体、及び複数の縦方向の側面フレームの間には開口部が形成される縦方向のテレスコカバーセットと、
横方向の上面側フレーム、横方向の底側フレーム、複数の横方向の側面フレーム、複数の横方向の左側フレークカバー板体、及び複数の横方向の右側フレークカバー板体が設置され、横方向の上面側フレーム、横方向の底側フレーム、及び横方向の側面フレームが周設されて結合され、且つ横方向の上面側フレームの内側には横方向の上面側の内レールが設置され、他の横方向の底側フレームの内側には横方向の底側の内レールが設置され、複数の横方向の左側フレークカバー板体が相互に重置されて滑動して横方向の上面側フレームと横方向の底側フレームとの間の左側に係止され、前記重置される複数の横方向の左側フレークカバー板体の一側には少なくとも１つの横方向の左側の伸縮アームのブラケットが設置され、前記横方向の左側の伸縮アームのブラケットの各枢結箇所には横方向の左側プーリーのブラケットがそれぞれ枢設され、横方向の左側プーリーのブラケットの両側には滑輪セットがそれぞれ設けられ、前記両側の滑輪セットは横方向の上面側フレームの横方向の上面側の内レール及び横方向の底側フレームの横方向の底側の内レールにそれぞれ位置を限定されて滑動して接触され、複数の横方向の右側フレークカバー板体が相互に重置されて滑動して横方向の上面側フレームと横方向の底側フレームとの間の右側に係止され、前記重置される複数の横方向の右側フレークカバー板体の一側には少なくとも１つの横方向の右側伸縮アームのブラケットが設置され、前記横方向の右側伸縮ア−ムのブラケットの各枢結箇所には横方向の右側プーリーのブラケットがそれぞれ枢設され、横方向の右側プーリーのブラケットの両側には滑輪セットがそれぞれ設けられ、前記両側の滑輪セットは横方向の上面側フレームの横方向の上面側の内レール及び横方向の底側フレームの横方向の底側の内レールにそれぞれ位置を限定されて滑動して接触され、横方向の左側フレークカバー板体と横方向の右側フレークカバー板体との間には中央部カバー板体が設置されて連結され、前記中央部カバー板体には入口ガイド固定部が設けられ、それは縦方向のテレスコカバーセットに設けられる開口部に対応すると共に相互に固定されて結合される横方向のテレスコカバーセットを備えることを特徴とする。
【０００７】
作動軸が横方向のテレスコカバーセットの中央部カバー板体に設けられる入口ガイド固定部に固設され、作動軸が横方向或いは縦方向に移動すると、縦方向の上部フレークカバー板体、縦方向の下部フレークカバー板体、横方向の左側フレークカバー板体、及び横方向の右側フレークカバー板体が移動して遮蔽状態或いは展開状態を呈し、差圧原理により切屑液がカバー内部に漏れず、複数の装置を有効に遮蔽して異物が複数の装置の部材中に進入するのを防止する。伸縮アームのブラケットがフレークカバー板体を連動・同調して移動させ、縦方向の上部フレークカバー板体、縦方向の下部フレークカバー板体、横方向の左側フレークカバー板体、及び横方向の右側フレークカバー板体が受力してシステムの動作制動を平均的に安定的に低減させる。また、フレークカバー板体は極薄の構造であるため積載重量が低下し、使用上の利便性及び構造の安定性を達成させる。
【考案の効果】
【０００８】
本考案によれば、従来の伸縮カバー構造では耐用年数が短く、設置に大きな空間が必要になり、収納スペースをとるため、不便であった問題を改善させる。
【図面の簡単な説明】
【０００９】
【図１】本考案の第１実施形態によるフレーク式テレスコカバー構造を示す構成状態の概略図である。
【図２】本考案の第１実施形態によるフレーク式テレスコカバー構造を示す展開状態の概略図である。
【図３】本考案の第１実施形態によるフレーク式テレスコカバー構造を他の角度から見た構成状態の概略図である。
【図４】本考案の縦方向のテレスコカバーセットを結合或いは展開する動作状態図である。
【図５】本考案の横方向のテレスコカバーセットを結合或いは展開する動作状態図である。
【図６】本考案の横方向のテレスコカバーセットが設置される入口ガイド固定部及び作動軸の結合状態図である。
【考案を実施するための形態】
【００１０】
以下に図面を参照して、本考案を実施するための形態について、詳細に説明する。なお、本考案は、以下に説明する実施形態に限定されるものではない。
【００１１】
＜第１実施形態＞
以下、本考案の実施形態について、図面を参照しながら説明する。図１から図３は本考案のフレーク式テレスコカバー構造の傾斜の構成、展開及び他の角度から見た傾斜の構成状態の概略図である。縦方向のテレスコカバーセット１０及び横方向のテレスコカバーセット２０を備える。ここでは、縦方向のテレスコカバーセット１０は、複数の縦方向の側面フレーム１１、縦方向の上面側フレーム１２、縦方向の底側フレーム１３、複数の縦方向の上部フレークカバー板体１４、及び複数の縦方向の上部フレークカバー板体１５が設置され、縦方向の側面フレーム１１、縦方向の上面側フレーム１２、及び縦方向の底側フレーム１３が周設されて結合され、且つ縦方向の側面フレーム１１の内側には縦方向の側面の内レール１１０がそれぞれ設置され、複数の縦方向の上部フレークカバー板体１４が相互に重置されて滑動して複数の縦方向の側面フレーム１１の間の上方に係止され、前記重置される複数の縦方向の上部フレークカバー板体１４の一側には少なくとも１つの縦方向の上部伸縮アームのブラケット１４０が設置され、且つ縦方向の上部伸縮アームのブラケット１４０の各枢結箇所には縦方向の上部プーリーのブラケット１４１がそれぞれ枢設され、縦方向の上部プーリーのブラケット１４１の両側には滑輪セット１４２がそれぞれ設けられ、前記両側の滑輪セット１４２は縦方向の側面フレーム１１の内側に設置される縦方向の側面の内レール１１０にそれぞれ位置を限定されて滑動して接触され、複数の縦方向の上部フレークカバー板体１５が相互に重置されて滑動して複数の縦方向の側面フレーム１１の間の下方に係止され、前記重置される複数の縦方向の上部フレークカバー板体１５の一側には少なくとも１つの縦方向の下部伸縮アームのブラケット１５０が設置され、且つ縦方向の下部伸縮アームのブラケット１５０の各枢結箇所には縦方向の下部プーリーのブラケット１５１がそれぞれ枢設され、縦方向の下部プーリーのブラケット１５１の両側には滑輪セット１５２がそれぞれ設けられ、前記両側の滑輪セット１５２は縦方向の側面フレーム１１の内側に設置される縦方向の側面の内レール１１０にそれぞれ位置を限定されて滑動して接触され、縦方向の上部フレークカバー板体１４、縦方向の上部フレークカバー板体１５、及び複数の縦方向の側面フレーム１１の間には開口部１６が形成され、縦方向の上部フレークカバー板体１４及び縦方向の上部フレークカバー板体１５には複数の結合孔１７がそれぞれ設けられる。また、横方向のテレスコカバーセット２０は、横方向の上面側フレーム２１、横方向の底側フレーム２２、複数の横方向の側面フレーム２３、複数の横方向の左側フレークカバー板体２４、及び複数の横方向の右側フレークカバー板体２５が設置され、横方向の上面側フレーム２１、横方向の底側フレーム２２、及び横方向の側面フレーム２３が周設して結合され、且つ横方向の上面側フレーム２１の内側には横方向の上面側の内レール２１０が設置され、他の横方向の底側フレーム２２の内側には横方向の底側の内レール２２０が設置され、複数の横方向の左側フレークカバー板体２４が相互に重置されて滑動して横方向の上面側フレーム２１及び横方向の底側フレーム２２の間の左側に係止され、前記重置される複数の横方向の左側フレークカバー板体２４の一側には少なくとも１つの横方向の左側の伸縮アームのブラケット２４０が設置され、前記横方向の左側の伸縮アームのブラケット２４０の各枢結箇所には横方向の左側プーリーのブラケット２４１がそれぞれ枢設され、横方向の左側プーリーのブラケット２４１の両側には滑輪セット２４２がそれぞれ設けられ、前記両側の滑輪セット２４２は横方向の上面側フレーム２１の横方向の上面側の内レール２１０及び横方向の底側フレーム２２の横方向の底側の内レール２２０にそれぞれ位置を限定されて滑動して接触され、複数の横方向の右側フレークカバー板体２５が相互に重置されて滑動して横方向の上面側フレーム２１及び横方向の底側フレーム２２の間の右側に係止され、前記重置される複数の横方向の右側フレークカバー板体２５の一側には少なくとも１つの横方向の右側伸縮アームのブラケット２５０が設置され、前記横方向の右側伸縮ア−ムのブラケット２５０の各枢結箇所には横方向の右側プーリーのブラケット２５１がそれぞれ枢設され、横方向の右側プーリーのブラケット２５１の両側には滑輪セット２５２がそれぞれ設けられ、前記両側の滑輪セット２５２は横方向の上面側フレーム２１の横方向の上面側の内レール２１０及び横方向の底側フレーム２２の横方向の底側の内レール２２０にそれぞれ位置を限定されて滑動して接触され、横方向の左側フレークカバー板体２４と横方向の右側フレークカバー板体２５との間には中央部カバー板体２６が連設され、前記中央部カバー板体２６には入口ガイド固定部２６０が設けられ、前記入口ガイド固定部２６０には密封ワッシャー２６１が固設され、横方向の左側フレークカバー板体２４及び複数の横方向の右側フレークカバー板体２５には複数の結合座２７がそれぞれ設けられ、前記結合座２７には結合部材２７０がそれぞれ設置され、横方向のテレスコカバーセット２０は縦方向のテレスコカバーセット１０に設けられる開口部１６に対応し、複数の結合座２７は縦方向のテレスコカバーセット１０の縦方向の上部フレークカバー板体１４及び縦方向の上部フレークカバー板体１５に設けられる複数の結合孔１７に対応すると共に結合座２７に設置される結合部材２７０に固定して結合される。上述の構造により、本考案に係るフレーク式テレスコカバー構造が完成する。
【００１２】
次は、図２乃至図６に示すように、横方向のテレスコカバーセット２０は縦方向のテレスコカバーセット１０に設けられる開口部１６に対応すると共に相互に固定して結合され、作動軸３０が横方向のテレスコカバーセット２０に設けられる中央部カバー板体２６の入口ガイド固定部２６０に固設され、作動軸３０が入口ガイド固定部２６０に設置される密封ワッシャー２６１により密封される。作動軸３０が横方向或いは縦方向に移動すると、縦方向の上部フレークカバー板体１４、縦方向の下部フレークカバー板体１５、横方向の左側フレークカバー板体２４、及び横方向の右側フレークカバー板体２５が移動して遮蔽状態或いは展開状態を呈し、差圧原理により切屑液がカバー内部に漏れなくなり、異物が複数の装置の部材中に進入するのを有効に防止させる。縦方向の上部伸縮アームのブラケット１４０、縦方向の下部伸縮アームのブラケット１５０、横方向の左側の伸縮アームのブラケット２４０、及び横方向の右側の伸縮アームのブラケット２５０は複数の連接棒構造として設置され、伸縮アームのブラケットによりフレークカバー板体が連動されて同調して移動し、縦方向の上部フレークカバー板体１４、縦方向の下部フレークカバー板体１５、横方向の左側フレークカバー板体２４、及び横方向の右側フレークカバー板体２５が受力してシステムの動作制動を平均的に安定的に低減させる。また、カバー板体は極薄の構造になるため積載重量が減り、縦方向の上部フレークカバー板体１４、縦方向の下部フレークカバー板体１５、横方向の左側フレークカバー板体２４、及び横方向の右側フレークカバー板体２５が同時に連動すると摩擦力はどの位置でも同じになり、各軸方向の動作の負荷も同じになり、輻射上に出力される動力も安定し、構造に積載される重量の変化等の要素を減少させ、加工全体の精度を向上させ、利便性及び構造の安定性を達成させる。
【００１３】
結論として、本考案の長所は以下の通りである。
１．利便性が高い特徴：作動軸が横方向或いは縦方向に移動すると、縦方向の上部フレークカバー板体、縦方向の下部フレークカバー板体、横方向の左側フレークカバー板体、及び横方向の右側フレークカバー板体が移動して遮蔽状態或いは展開状態を呈し、差圧原理により切屑液がカバー内部に漏れず、異物が複数の装置の部材中に進入するのを有効に防止させ、利便性が高まる。
２．構造の安定性が好ましい特徴：伸縮アームのブラケットがフレークカバー板体を連動させて同調させて移動させ、縦方向の上部フレークカバー板体、縦方向の下部フレークカバー板体、横方向の左側フレークカバー板体、及び横方向の右側フレークカバー板体が受力してシステムの動作制動を平均的に安定的に低減させる。また、カバー板体が極薄の構造であるため積載重量が減り、縦方向の上部フレークカバー板体、縦方向の下部フレークカバー板体、横方向の左側フレークカバー板体、及び横方向の右側フレークカバー板体が同時に連動すると摩擦力がどの位置でも同じになり、各軸方向の動作の負荷も同じになり、輻射上に出力される動力も安定し、構造に積載される重量の変化等の要素を減少させ、加工全体の精度を高め、構造の安定性を向上させる。
【００１４】
上述の実施形態は本考案の技術思想及び特徴を説明するためのものにすぎず、当該技術分野を熟知する者に本考案の内容を理解させると共にこれをもって実施させることを目的とし、本考案の特許請求の範囲を限定するものではない。従って、本考案の精神を逸脱せずに行う各種の同様の効果をもつ改良又は変更は、後述の請求項に含まれるものとする。
【符号の説明】
【００１５】
１０ 縦方向のテレスコカバーセット
１１ 縦方向の側面フレーム
１１０ 縦方向の側面の内レール
１２ 縦方向の上面側フレーム
１３ 縦方向の底側フレーム
１４ 縦方向の上部フレークカバー板体
１４０ 縦方向の上部伸縮アームのブラケット
１４１ 縦方向の上部プーリーのブラケット
１４２ 滑輪セット
１５ 縦方向の上部フレークカバー板体
１５０ 縦方向の下部伸縮アームのブラケット
１５１ 縦方向の下部プーリーのブラケット
１５２ 滑輪セット
１６ 開口部
１７ 結合孔
２０ 横方向のテレスコカバーセット
２１ 横方向の上面側フレーム
２１０ 横方向の上面側の内レール
２２ 横方向の底側フレーム
２２０ 横方向の底側の内レール
２３ 横方向の側面フレーム
２４ 横方向の左側フレークカバー板体
２４０ 横方向の左側の伸縮アームのブラケット
２４１ 横方向の左側プーリーのブラケット
２４２ 滑輪セット
２５ 横方向の右側フレークカバー板体
２５０ 横方向の右側伸縮アームのブラケット
２５１ 横方向の右側プーリーのブラケット
２５２ 滑輪セット
２６ 中央部カバー板体
２６０ 入口ガイド固定部
２６１ 密封ワッシャー
２７ 結合座
２７０ 結合部材
３０ 作動軸
【図１】
0003197353.tif 000003
【図２】
0003197353.tif 000004
【図３】
0003197353.tif 000005
【図４】
0003197353.tif 000006
【図５】
0003197353.tif 000007
【図６】
0003197353.tif 000008
【手続補正書】
【提出日】平成27年3月4日(2015.3.4)
【手続補正１】
【補正対象書類名】明細書
【補正対象項目名】０００６
【補正方法】変更
【補正の内容】
【０００６】
上述した課題を解決し、上記目的を達成するための本考案は、フレーク式テレスコカバー構造であって、
複数の縦方向の側面フレーム、縦方向の上面側フレーム、縦方向の底側フレーム、複数の縦方向の上部フレークカバー板体、及び複数の縦方向の下部フレークカバー板体が設置され、縦方向の側面フレーム、縦方向の上面側フレーム、及び縦方向の底側フレームが周設して結合され、且つ縦方向の側面フレームの内側には縦方向の側面の内レールがそれぞれ設けられ、複数の縦方向の上部フレークカバー板体が相互に重置されて滑動して複数の縦方向の側面フレーム間の上方に係止され、前記重置される複数の縦方向の上部フレークカバー板体の一側には少なくとも１つの縦方向の上部伸縮アームのブラケットが設置され、且つ縦方向の上部伸縮アームのブラケットの各枢結箇所には縦方向の上部プーリーのブラケットがそれぞれ枢設され、縦方向の上部プーリーのブラケットの両側には滑輪セットがそれぞれ設けられ、前記両側の滑輪セットは縦方向の側面フレームの内側に設置される縦方向の側面の内レールにそれぞれ位置を限定されて滑動して接触され、複数の縦方向の下部フレークカバー板体が相互に重置されて滑動して複数の縦方向の側面フレームの間の下方に係止され、前記重置される複数の縦方向の下部フレークカバー板体の一側には少なくとも１つの縦方向の下部伸縮アームのブラケットが設置され、且つ縦方向の下部伸縮アームのブラケットの各枢結箇所には縦方向の下部プーリーのブラケットがそれぞれ枢設され、縦方向の下部プーリーのブラケットの両側には滑輪セットがそれぞれ設けられ、前記両側の滑輪セットは縦方向の側面フレームの内側に設置される縦方向の側面の内レールにそれぞれ位置を限定されて滑動して接触され、縦方向の上部フレークカバー板体、縦方向の下部フレークカバー板体、及び複数の縦方向の側面フレームの間には開口部が形成される縦方向のテレスコカバーセットと、
横方向の上面側フレーム、横方向の底側フレーム、複数の横方向の側面フレーム、複数の横方向の左側フレークカバー板体、及び複数の横方向の右側フレークカバー板体が設置され、横方向の上面側フレーム、横方向の底側フレーム、及び横方向の側面フレームが周設されて結合され、且つ横方向の上面側フレームの内側には横方向の上面側の内レールが設置され、他の横方向の底側フレームの内側には横方向の底側の内レールが設置され、複数の横方向の左側フレークカバー板体が相互に重置されて滑動して横方向の上面側フレームと横方向の底側フレームとの間の左側に係止され、前記重置される複数の横方向の左側フレークカバー板体の一側には少なくとも１つの横方向の左側の伸縮アームのブラケットが設置され、前記横方向の左側の伸縮アームのブラケットの各枢結箇所には横方向の左側プーリーのブラケットがそれぞれ枢設され、横方向の左側プーリーのブラケットの両側には滑輪セットがそれぞれ設けられ、前記両側の滑輪セットは横方向の上面側フレームの横方向の上面側の内レール及び横方向の底側フレームの横方向の底側の内レールにそれぞれ位置を限定されて滑動して接触され、複数の横方向の右側フレークカバー板体が相互に重置されて滑動して横方向の上面側フレームと横方向の底側フレームとの間の右側に係止され、前記重置される複数の横方向の右側フレークカバー板体の一側には少なくとも１つの横方向の右側伸縮アームのブラケットが設置され、前記横方向の右側伸縮ア−ムのブラケットの各枢結箇所には横方向の右側プーリーのブラケットがそれぞれ枢設され、横方向の右側プーリーのブラケットの両側には滑輪セットがそれぞれ設けられ、前記両側の滑輪セットは横方向の上面側フレームの横方向の上面側の内レール及び横方向の底側フレームの横方向の底側の内レールにそれぞれ位置を限定されて滑動して接触され、横方向の左側フレークカバー板体と横方向の右側フレークカバー板体との間には中央部カバー板体が設置されて連結され、前記中央部カバー板体には入口ガイド固定部が設けられ、それは縦方向のテレスコカバーセットに設けられる開口部に対応すると共に相互に固定されて結合される横方向のテレスコカバーセットを備えることを特徴とする。
【手続補正２】
【補正対象書類名】明細書
【補正対象項目名】００１１
【補正方法】変更
【補正の内容】
【００１１】
＜第１実施形態＞
以下、本考案の実施形態について、図面を参照しながら説明する。図１から図３は本考案のフレーク式テレスコカバー構造の傾斜の構成、展開及び他の角度から見た傾斜の構成状態の概略図である。縦方向のテレスコカバーセット１０及び横方向のテレスコカバーセット２０を備える。ここでは、縦方向のテレスコカバーセット１０は、複数の縦方向の側面フレーム１１、縦方向の上面側フレーム１２、縦方向の底側フレーム１３、複数の縦方向の上部フレークカバー板体１４、及び複数の縦方向の下部フレークカバー板体１５が設置され、縦方向の側面フレーム１１、縦方向の上面側フレーム１２、及び縦方向の底側フレーム１３が周設されて結合され、且つ縦方向の側面フレーム１１の内側には縦方向の側面の内レール１１０がそれぞれ設置され、複数の縦方向の上部フレークカバー板体１４が相互に重置されて滑動して複数の縦方向の側面フレーム１１の間の上方に係止され、前記重置される複数の縦方向の上部フレークカバー板体１４の一側には少なくとも１つの縦方向の上部伸縮アームのブラケット１４０が設置され、且つ縦方向の上部伸縮アームのブラケット１４０の各枢結箇所には縦方向の上部プーリーのブラケット１４１がそれぞれ枢設され、縦方向の上部プーリーのブラケット１４１の両側には滑輪セット１４２がそれぞれ設けられ、前記両側の滑輪セット１４２は縦方向の側面フレーム１１の内側に設置される縦方向の側面の内レール１１０にそれぞれ位置を限定されて滑動して接触され、複数の縦方向の下部フレークカバー板体１５が相互に重置されて滑動して複数の縦方向の側面フレーム１１の間の下方に係止され、前記重置される複数の縦方向の下部フレークカバー板体１５の一側には少なくとも１つの縦方向の下部伸縮アームのブラケット１５０が設置され、且つ縦方向の下部伸縮アームのブラケット１５０の各枢結箇所には縦方向の下部プーリーのブラケット１５１がそれぞれ枢設され、縦方向の下部プーリーのブラケット１５１の両側には滑輪セット１５２がそれぞれ設けられ、前記両側の滑輪セット１５２は縦方向の側面フレーム１１の内側に設置される縦方向の側面の内レール１１０にそれぞれ位置を限定されて滑動して接触され、縦方向の上部フレークカバー板体１４、縦方向の下部フレークカバー板体１５、及び複数の縦方向の側面フレーム１１の間には開口部１６が形成され、縦方向の上部フレークカバー板体１４及び縦方向の下部フレークカバー板体１５には複数の結合孔１７がそれぞれ設けられる。また、横方向のテレスコカバーセット２０は、横方向の上面側フレーム２１、横方向の底側フレーム２２、複数の横方向の側面フレーム２３、複数の横方向の左側フレークカバー板体２４、及び複数の横方向の右側フレークカバー板体２５が設置され、横方向の上面側フレーム２１、横方向の底側フレーム２２、及び横方向の側面フレーム２３が周設して結合され、且つ横方向の上面側フレーム２１の内側には横方向の上面側の内レール２１０が設置され、他の横方向の底側フレーム２２の内側には横方向の底側の内レール２２０が設置され、複数の横方向の左側フレークカバー板体２４が相互に重置されて滑動して横方向の上面側フレーム２１及び横方向の底側フレーム２２の間の左側に係止され、前記重置される複数の横方向の左側フレークカバー板体２４の一側には少なくとも１つの横方向の左側の伸縮アームのブラケット２４０が設置され、前記横方向の左側の伸縮アームのブラケット２４０の各枢結箇所には横方向の左側プーリーのブラケット２４１がそれぞれ枢設され、横方向の左側プーリーのブラケット２４１の両側には滑輪セット２４２がそれぞれ設けられ、前記両側の滑輪セット２４２は横方向の上面側フレーム２１の横方向の上面側の内レール２１０及び横方向の底側フレーム２２の横方向の底側の内レール２２０にそれぞれ位置を限定されて滑動して接触され、複数の横方向の右側フレークカバー板体２５が相互に重置されて滑動して横方向の上面側フレーム２１及び横方向の底側フレーム２２の間の右側に係止され、前記重置される複数の横方向の右側フレークカバー板体２５の一側には少なくとも１つの横方向の右側伸縮アームのブラケット２５０が設置され、前記横方向の右側伸縮ア−ムのブラケット２５０の各枢結箇所には横方向の右側プーリーのブラケット２５１がそれぞれ枢設され、横方向の右側プーリーのブラケット２５１の両側には滑輪セット２５２がそれぞれ設けられ、前記両側の滑輪セット２５２は横方向の上面側フレーム２１の横方向の上面側の内レール２１０及び横方向の底側フレーム２２の横方向の底側の内レール２２０にそれぞれ位置を限定されて滑動して接触され、横方向の左側フレークカバー板体２４と横方向の右側フレークカバー板体２５との間には中央部カバー板体２６が連設され、前記中央部カバー板体２６には入口ガイド固定部２６０が設けられ、前記入口ガイド固定部２６０には密封ワッシャー２６１が固設され、横方向の左側フレークカバー板体２４及び複数の横方向の右側フレークカバー板体２５には複数の結合座２７がそれぞれ設けられ、前記結合座２７には結合部材２７０がそれぞれ設置され、横方向のテレスコカバーセット２０は縦方向のテレスコカバーセット１０に設けられる開口部１６に対応し、複数の結合座２７は縦方向のテレスコカバーセット１０の縦方向の上部フレークカバー板体１４及び縦方向の下部フレークカバー板体１５に設けられる複数の結合孔１７に対応すると共に結合座２７に設置される結合部材２７０に固定して結合される。上述の構造により、本考案に係るフレーク式テレスコカバー構造が完成する。
【手続補正３】
【補正対象書類名】明細書
【補正対象項目名】００１５
【補正方法】変更
【補正の内容】
【００１５】
１０ 縦方向のテレスコカバーセット
１１ 縦方向の側面フレーム
１１０ 縦方向の側面の内レール
１２ 縦方向の上面側フレーム
１３ 縦方向の底側フレーム
１４ 縦方向の上部フレークカバー板体
１４０ 縦方向の上部伸縮アームのブラケット
１４１ 縦方向の上部プーリーのブラケット
１４２ 滑輪セット
１５ 縦方向の下部フレークカバー板体
１５０ 縦方向の下部伸縮アームのブラケット
１５１ 縦方向の下部プーリーのブラケット
１５２ 滑輪セット
１６ 開口部
１７ 結合孔
２０ 横方向のテレスコカバーセット
２１ 横方向の上面側フレーム
２１０ 横方向の上面側の内レール
２２ 横方向の底側フレーム
２２０ 横方向の底側の内レール
２３ 横方向の側面フレーム
２４ 横方向の左側フレークカバー板体
２４０ 横方向の左側の伸縮アームのブラケット
２４１ 横方向の左側プーリーのブラケット
２４２ 滑輪セット
２５ 横方向の右側フレークカバー板体
２５０ 横方向の右側伸縮アームのブラケット
２５１ 横方向の右側プーリーのブラケット
２５２ 滑輪セット
２６ 中央部カバー板体
２６０ 入口ガイド固定部
２６１ 密封ワッシャー
２７ 結合座
２７０ 結合部材
３０ 作動軸
【手続補正４】
【補正対象書類名】実用新案登録請求の範囲
【補正対象項目名】全文
【補正方法】変更
【補正の内容】
【実用新案登録請求の範囲】
【請求項１】
複数の縦方向の側面フレーム、縦方向の上面側フレーム、縦方向の底側フレーム、複数の縦方向の上部フレークカバー板体、及び複数の縦方向の下部フレークカバー板体が設置され、縦方向の側面フレーム、縦方向の上面側フレーム、及び縦方向の底側フレームが周設して結合され、且つ縦方向の側面フレームの内側には縦方向の側面の内レールがそれぞれ設けられ、複数の縦方向の上部フレークカバー板体が相互に重置されて滑動して複数の縦方向の側面フレームの間の上方に係止され、前記重置される複数の縦方向の上部フレークカバー板体の一側には少なくとも１つの縦方向の上部伸縮アームのブラケットが設置され、且つ縦方向の上部伸縮アームのブラケットの各枢結箇所には縦方向の上部プーリーのブラケットがそれぞれ枢設され、縦方向の上部プーリーのブラケットの両側には滑輪セットが別設され、前記両側の滑輪セットは縦方向の側面フレームの内側に設置される縦方向の側面の内レールにそれぞれ位置を限定されて滑動して接触され、複数の縦方向の下部フレークカバー板体が相互に重置されて滑動して複数の縦方向の側面フレームの間の下方に係止され、前記重置される複数の縦方向の下部フレークカバー板体の一側には少なくとも１つの縦方向の下部伸縮アームのブラケットが設置され、且つ縦方向の下部伸縮アームのブラケットの各枢結箇所には縦方向の下部プーリーのブラケットがそれぞれ枢設され、縦方向の下部プーリーのブラケットの両側には滑輪セットが別設され、前記両側の滑輪セットは縦方向の側面フレームの内側に設置される縦方向の側面の内レールにそれぞれ位置を限定されて滑動して接触され、縦方向の上部フレークカバー板体、縦方向の下部フレークカバー板体、及び複数の縦方向の側面フレームの間には開口部が形成される縦方向のテレスコカバーセットと、
横方向の上面側フレーム、横方向の底側フレーム、複数の横方向の側面フレーム、複数の横方向の左側フレークカバー板体、及び複数の横方向の右側フレークカバー板体が設置され、横方向の上面側フレーム、横方向の底側フレーム、及び横方向の側面フレームが周設されて結合され、且つ横方向の上面側フレームの内側には横方向の上面側の内レールが設置され、他の横方向の底側フレームの内側には横方向の底側の内レールが設置され、複数の横方向の左側フレークカバー板体が相互に重置されて滑動して横方向の上面側フレームと横方向の底側フレームとの間の左側に係止され、前記重置される複数の横方向の左側フレークカバー板体の一側には少なくとも１つの横方向の左側の伸縮アームのブラケットが設置され、前記横方向の左側の伸縮アームのブラケットの各枢結箇所には横方向の左側プーリーのブラケットがそれぞれ枢設され、横方向の左側プーリーのブラケットの両側には滑輪セットが別設され、前記両側の滑輪セットは横方向の上面側フレームの横方向の上面側の内レール及び横方向の底側フレームの横方向の底側の内レールにそれぞれ位置を限定されて滑動して接触され、複数の横方向の右側フレークカバー板体が相互に重置されて滑動して横方向の上面側フレームと横方向の底側フレームとの間の右側に係止され、前記重置される複数の横方向の右側フレークカバー板体の一側には少なくとも１つの横方向の右側伸縮アームのブラケットが設置され、前記横方向の右側伸縮ア−ムのブラケットの各枢結箇所には横方向の右側プーリーのブラケットがそれぞれ枢設され、横方向の右側プーリーのブラケットの両側には滑輪セットが別設され、前記両側の滑輪セットは横方向の上面側フレームの横方向の上面側の内レール及び横方向の底側フレームの横方向の底側の内レールにそれぞれ位置を限定されて滑動して接触され、横方向の左側フレークカバー板体と横方向の右側フレークカバー板体との間には中央部カバー板体が設置されて連結され、前記中央部カバー板体には入口ガイド固定部が設けられ、それは縦方向のテレスコカバーセットに設けられる開口部に対応すると共に相互に固定されて結合される横方向のテレスコカバーセットを備えることを特徴とするフレーク式テレスコカバー構造。
【請求項２】
前記縦方向のテレスコカバーセットの縦方向の上部フレークカバー板体及び縦方向の下部フレークカバー板体には複数の結合孔がそれぞれ設けられ、横方向のテレスコカバーセットの横方向の左側フレークカバー板体及び複数の横方向の右側フレークカバー板体には複数の結合座がそれぞれ設けられ、前記結合座には結合部材がそれぞれ設置され、横方向のテレスコカバーセットは縦方向のテレスコカバーセットに設けられる開口部に対応し、複数の結合座は縦方向のテレスコカバーセットの縦方向の上部フレークカバー板体及び縦方向の下部フレークカバー板体に設けられる複数の結合孔に対応し、且つ結合孔に設置される結合部材により固定されて結合されることを特徴とする、請求項１記載のフレーク式テレスコカバー構造。
【請求項３】
前記中央部カバー板体の入口ガイド固定部には密封ワッシャーが設置されることを特徴とする、請求項１記載のフレーク式テレスコカバー構造。
【請求項４】
前記縦方向の上部伸縮ア−ムのブラケット、縦方向の下部伸縮ア−ムのブラケット、横方向の左側の伸縮アームのブラケット、及び横方向の右側の伸縮アームのブラケットは複数の連接棒構造であることを特徴とする、請求項１記載のフレーク式テレスコカバー構造。